【手続補正書】
【提出日】平成25年1月23日(2013.1.23)
【手続補正１】
【補正対象書類名】特許請求の範囲
【補正対象項目名】全文
【補正方法】変更
【補正の内容】
【特許請求の範囲】
【請求項１】
無線通信ネットワーク内のコンポーネントキャリア（ＣＣ）を構成するための方法であって、
前記方法は、
前記ネットワーク内のユーザ機器によって、信号伝達プロトコルを使用して、物理ダウンリンク共有チャネル（ＰＤＳＣＨ）のためのＣＣ構成を受信することであって、少なくとも１つのＣＣは、半静的構成を使用して前記ＰＤＳＣＨに割り当てられる、ことと、
前記ユーザ機器によって、前記信号伝達プロトコルを使用して、前記ＰＤＳＣＨに関連付けられた物理ダウンリンク制御チャネル（ＰＤＣＣＨ）のためのＣＣ構成を受信することであって、少なくとも１つのＣＣは、前記半静的構成を使用して前記ＰＤＣＣＨに割り当てられる、ことと
を含む、方法。
【請求項２】
前記ＰＤＳＣＨのためのＣＣ構成を受信することは、前記ＰＤＳＣＨのための最大許容のＣＣを使用するためのＣＣ構成を受信することを含む、請求項１に記載の方法。
【請求項３】
前記ＰＤＳＣＨのためのＣＣ構成は、前記ユーザ機器のためのトラフィック負荷に基づいている、請求項１に記載の方法。
【請求項４】
前記ＰＤＣＣＨは、分離符号化方式を使用して構成され、同一のＣＣが、同一の信号伝達パラメータを使用して、前記ＰＤＳＣＨおよび前記関連付けられたＰＤＣＣＨに割り当てられる、請求項１に記載の方法。
【請求項５】
前記ＰＤＣＣＨは、結合符号化方式を使用して構成され、異なるＣＣが、ビットマップを使用して、前記ＰＤＳＣＨおよび前記関連付けられたＰＤＣＣＨに割り当てられる、請求項１に記載の方法。
【請求項６】
前記信号伝達プロトコルは、無線リソース制御（ＲＲＣ）プロトコルまたはメディアアクセス制御（ＭＡＣ）信号伝達を含む、請求項１に記載の方法。
【請求項７】
前記ユーザ機器によって、信号伝達プロトコルを使用して、アップリンク（ＵＬ）のための少なくとも１つのＣＣのためのＣＣ構成を伝送することをさらに含み、前記ＵＬのための前記少なくとも１つのＣＣは、前記半静的構成を使用して割り当てられる、請求項１に記載の方法。
【請求項８】
前記ユーザ機器によって、前記信号伝達プロトコルを使用して、前記ＵＬと関連付けられた物理アップリンク制御チャネル（ＰＵＣＣＨ）のための少なくとも１つのＣＣのためのＣＣ構成を伝送することをさらに含み、前記ＰＵＣＣＨのための前記少なくとも１つのＣＣは、前記半静的構成を使用して割り当てられる、請求項１に記載の方法。
【請求項９】
無線通信ネットワーク内のコンポーネントキャリア（ＣＣ）を構成するための方法であって、
前記方法は、
前記無線通信ネットワーク内のアクセスノードによって、信号伝達プロトコルを使用して、物理ダウンリンク共有チャネル（ＰＤＳＣＨ）のためのＣＣ構成を伝送することであって、少なくとも１つのＣＣは、半静的構成を使用して前記ＰＤＳＣＨに割り当てられる、ことと、
前記アクセスノードによって、前記信号伝達プロトコルを使用して、前記ＰＤＳＣＨに関連付けられた物理ダウンリンク制御チャネル（ＰＤＣＣＨ）のためのＣＣ構成を伝送することであって、少なくとも１つのＣＣは、前記半静的構成を使用して前記ＰＤＣＣＨに割り当てられる、ことと
を含む、方法。
【請求項１０】
前記信号伝達プロトコルを使用して、アップリンク（ＵＬ）のための少なくとも１つのＣＣのためのＣＣ構成を伝送することをさらに含み、前記ＵＬのためのＣＣは、前記半静的構成を使用して割り当てられる、請求項９に記載の方法。
【請求項１１】
無線通信ネットワークにおいて使用されるユーザ機器（ＵＥ）であって、
前記ユーザ機器は、
信号伝達プロトコルを使用して、物理ダウンリンク共有チャネル（ＰＤＳＣＨ）のためのコンポーネントキャリア（ＣＣ）構成を受信するように構成されたプロセッサであって、少なくとも１つのＣＣは、半静的構成を使用して前記ＰＤＳＣＨに割り当てられる、プロセッサ
を含み、
前記プロセッサは、前記信号伝達プロトコルを使用して、前記ＰＤＳＣＨと関連付けられた物理ダウンリンク制御チャネル（ＰＤＣＣＨ）のためのＣＣ構成を受信するようにさらに構成されており、少なくとも１つのＣＣは、前記半静的構成を使用して前記ＰＤＣＣＨに割り当てられる、ユーザ機器（ＵＥ）。
【請求項１２】
前記ＣＣ構成は、前記ＰＤＳＣＨのための最大許容ＣＣを使用するように構成されている、請求項１１に記載のＵＥ。
【請求項１３】
前記ＰＤＳＣＨのための前記割り当てられたＣＣは、「開始時間」を使用して前記ネットワーク内のアクセスノードと同期される、請求項１１に記載のＵＥ。
【請求項１４】
前記プロセッサは、信号伝達プロトコルを使用してアップリンク（ＵＬ）のための少なくとも１つのＣＣのためのＣＣ構成を伝送するようにさらに構成されており、前記ＣＣは、前記半静的構成を使用して割り当てられる、請求項１１に記載のＵＥ。
【請求項１５】
前記プロセッサは、前記信号伝達プロトコルを使用して、前記ＵＬと関連付けられた物理アップリンク制御チャネル（ＰＵＣＣＨ）のための少なくとも１つのＣＣのためのＣＣ構成を伝送するようにさらに構成されており、前記ＣＣは、前記半静的構成を使用して割り当てられる、請求項１１に記載のＵＥ。
【請求項１６】
無線通信ネットワークにおいて使用されるアクセスノードであって、
前記アクセスノードは、
信号伝達プロトコルを使用して、物理ダウンリンク共有チャネル（ＰＤＳＣＨ）のためのコンポーネントキャリア（ＣＣ）構成を伝送するように構成されたプロセッサであって、少なくとも１つのＣＣは、半静的構成を使用して前記ＰＤＳＣＨに割り当てられる、プロセッサ
を含み、
前記プロセッサは、前記信号伝達プロトコルを使用して、前記ＰＤＳＣＨと関連付けられた物理ダウンリンク制御チャネル（ＰＤＣＣＨ）のためのＣＣ構成を伝送するようにさらに構成されており、少なくとも１つのＣＣは、前記半静的構成を使用して前記ＰＤＣＣＨに割り当てられる、アクセスノード。
【請求項１７】
前記ＰＤＳＣＨのためのＣＣ構成は、前記ネットワーク内のユーザ機器（ＵＥ）のためのトラフィック負荷に基づいている、請求項１６に記載のアクセスノード。
【請求項１８】
前記ＰＤＳＣＨのために割り当てられるＣＣの数が増加させられることにより、前記ＵＥのための前記伝送データ速度の増加を支援する、請求項１６に記載のアクセスノード。
【請求項１９】
前記プロセッサは、信号伝達プロトコルを使用して、アップリンク（ＵＬ）のための少なくとも１つのＣＣのＣＣ構成を受信するようにさらに構成されており、前記ＣＣは、前記半静的構成を使用して割り当てられる、請求項１６に記載のアクセスノード。
【請求項２０】
前記プロセッサは、前記信号伝達プロトコルを使用して、前記ＵＬと関連付けられた物理アップリンク制御チャネル（ＰＵＣＣＨ）のための少なくとも１つのＣＣのためのＣＣ構成をさらに受信するように構成されており、前記ＰＵＣＣＨのための前記少なくとも１つのＣＣは、前記半静的構成を使用して割り当てられる、請求項１６に記載のアクセスノード。
【手続補正２】
【補正対象書類名】明細書
【補正対象項目名】０００２
【補正方法】変更
【補正の内容】
【０００２】
技術が発達するにつれて、以前は可能ではなかったサービスを提供することができる、より高度なネットワークアクセス機器が導入されてきた。本ネットワークアクセス機器は、従来の無線電気通信システムにおける同等機器の改良である、システムおよびデバイスを含む場合がある。そのような高度または次世代機器は、ロング・ターム・エボリューション（ＬＴＥ）またはＬＴＥ−Ａｄｖａｎｃｅｄ（ＬＴＥ−Ａ）等の進化型無線通信規格に含まれ得る。例えば、ＬＴＥまたはＬＴＥ−Ａシステムは、従来の基地局ではなく、Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）ノードＢ（ｅＮＢ）、無線アクセスポイント、または類似コンポーネントを含む場合がある。本明細書で使用されるように、用語「アクセスノード」は、従来の基地局、無線アクセスポイント、ＬＴＥまたはＬＴＥ−Ａ  ｅＮＢ、あるいはＵＥまたは中継ノードを電気通信システム内の他のコンポーネントにアクセス可能にする受信および伝送範囲の地理的面積を創出する、ルータ等の無線ネットワークの任意のコンポーネントを指すであろう。本書では、用語「アクセスノード」および「アクセスデバイス」は、互換可能に使用され得るが、アクセスノードは、複数のハードウェアおよびソフトウェアを備えてもよいことが理解される。
本発明は、例えば、以下を提供する。
（項目１）
物理ダウンリンク共有チャネル（ＰＤＳＣＨ）のための少なくとも１つのコンポーネントキャリア（ＣＣ）を構成する方法であって、
信号伝達プロトコルを使用して、ＣＣ構成を受信することを含み、該ＣＣは、半静的構成を使用して割り当てられる、方法。
（項目２）
上記ＰＤＳＣＨのための１つのＣＣを使用して、ユーザ機器のバッテリ消費を低減させるためのＣＣ構成を受信することをさらに含む、項目１に記載の方法。
（項目３）
上記ＰＤＳＣＨのために最大許容のＣＣを使用して、データスループットを最大にするＣＣ構成を受信することをさらに含む、項目１に記載の方法。
（項目４）
上記ＰＤＳＣＨのためのＣＣ構成は、ユーザ機器のためのトラフィック負荷に基づいている、項目１に記載の方法。
（項目５）
上記信号伝達プロトコルを使用して、上記ＰＤＳＣＨと関連付けられた物理ダウンリンク制御チャネル（ＰＤＣＣＨ）のための少なくとも１つのＣＣのＣＣ構成を受信することをさらに含み、該ＣＣは、上記半静的構成を使用して割り当てられる、項目１に記載の方法。
（項目６）
上記ＰＤＣＣＨは、分離符号化方式を使用して構成され、同一ＣＣが、同一信号伝達パラメータを使用して、上記ＰＤＳＣＨおよび上記関連付けられたＰＤＣＣＨに割り当てられる、項目５に記載の方法。
（項目７）
上記ＰＤＣＣＨは、結合符号化方式を使用して構成され、異なるＣＣが、ビットマップを使用して、上記ＤＬおよび上記関連付けられたＰＤＣＣＨに割り当てられる、項目５に記載の方法。
（項目８）
上記信号伝達プロトコルは、無線リソース制御（ＲＲＣ）プロトコルまたはメディアアクセス制御（ＭＡＣ）信号伝達である、項目１に記載の方法。
（項目９）
信号伝達プロトコルを使用して、アップリンク（ＵＬ）のための少なくとも１つのＣＣのＣＣ構成を伝送することをさらに含み、該ＣＣは、上記半静的構成を使用して割り当てられる、項目１に記載の方法。
（項目１０）
上記信号伝達プロトコルを使用して、上記ＵＬと関連付けられた物理アップリンク制御チャネル（ＰＵＣＣＨ）のための少なくとも１つのＣＣのＣＣ構成を伝送することをさらに含み、該ＣＣは、上記半静的構成を使用して割り当てられる、項目１に記載の方法。
（項目１１）
物理ダウンリンク共有チャネル（ＰＤＳＣＨ）のための少なくとも１つの（ＣＣ）を構成する方法であって、信号伝達プロトコルを使用してＣＣ構成を伝送することを含み、該ＣＣは、半静的構成を使用して割り当てられる、方法。
（項目１２）
上記信号伝達プロトコルを使用して、上記ＰＤＳＣＨと関連付けられた物理ダウンリンク制御チャネル（ＰＤＣＣＨ）のための少なくとも１つのＣＣのＣＣ構成を伝送することをさらに含み、該ＣＣは、上記半静的構成を使用して割り当てられる、項目１１に記載の方法。
（項目１３）
信号伝達プロトコルを使用して、アップリンク（ＵＬ）のための少なくとも１つのＣＣのＣＣ構成を受信することをさらに含み、該ＣＣは、上記半静的構成を使用して割り当てられる、項目１１に記載の方法。
（項目１４）
上記信号伝達プロトコルを使用して、上記ＵＬと関連付けられた物理アップリンク制御チャネル（ＰＵＣＣＨ）のための少なくとも１つのＣＣのＣＣ構成を受信することをさらに含み、該ＣＣは、上記半静的構成を使用して割り当てられる、項目１１に記載の方法。
（項目１５）
ユーザ機器（ＵＥ）であって、
信号伝達プロトコルを使用して、物理ダウンリンク共有チャネル（ＰＤＳＣＨ）のための少なくとも１つのＣＣのためのコンポーネントキャリア（ＣＣ）構成を受信するように構成されるプロセッサを含み、該ＣＣは、半静的構成を使用して割り当てられる、ＵＥ。
（項目１６）
上記プロセッサは、上記ＰＤＳＣＨのための１つのＣＣを使用してバッテリ消費を低減させるためのＣＣ構成をさらに受信する、項目１５に記載のＵＥ。
（項目１７）
上記プロセッサは、上記ＰＤＳＣＨのための最大許容ＣＣを使用してデータスループットを最大にするＣＣ構成をさらに受信する、項目１５に記載のＵＥ。
（項目１８）
上記プロセッサは、上記信号伝達プロトコルを使用して、上記ＰＤＳＣＨと関連付けられた物理ダウンリンク制御チャネル（ＰＤＣＣＨ）のための少なくとも１つのＣＣのＣＣ構成をさらに受信し、該ＣＣは、上記半静的構成を使用して割り当てられる、項目１５に記載のＵＥ。
（項目１９）
上記割り当てられたＣＣは、「開始時間」を使用してアクセスノードと同期され得る、項目１５に記載のＵＥ。
（項目２０）
上記プロセッサは、信号伝達プロトコルを使用してアップリンク（ＵＬ）のための少なくとも１つのＣＣのＣＣ構成をさらに伝送し、該ＣＣは、上記半静的構成を使用して割り当てられる、項目１５に記載のＵＥ。
（項目２１）
上記プロセッサは、上記信号伝達プロトコルを使用して、上記ＵＬと関連付けられた物理アップリンク制御チャネル（ＰＵＣＣＨ）のための少なくとも１つのＣＣのＣＣ構成をさらに伝送し、該ＣＣは、上記半静的構成を使用して割り当てられる、項目１５に記載のＵＥ。
（項目２２）
アクセスノードであって、
信号伝達プロトコルを使用して、物理ダウンリンク共有チャネル（ＰＤＳＣＨ）のための少なくとも１つのコンポーネントキャリア（ＣＣ）のＣＣ構成を伝送するように構成されるプロセッサを備え、該ＣＣは、半静的構成を使用して割り当てられる、アクセスノード。
（項目２３）
上記ＰＤＳＣＨのためのＣＣ構成は、ユーザ機器のためのトラフィック負荷（ＵＥ）に基づいている、項目２２に記載のアクセスノード。
（項目２４）
上記プロセッサは、上記信号伝達プロトコルを使用して、上記ＰＤＳＣＨと関連付けられた物理ダウンリンク制御チャネル（ＰＤＣＣＨ）のための少なくとも１つのＣＣのＣＣ構成をさらに伝送し、該ＣＣは、上記半静的構成を使用して割り当てられる、項目２２に記載のアクセスノード。
（項目２５）
上記割り当てられるＣＣの数が減少させられることにより、上記ＵＥの電力消費を低減させる、項目２２に記載のアクセスノード。
（項目２６）
上記割り当てられるＣＣの数が増加させられることにより、上記ＵＥのための上記伝送データ速度の増加を支援する、項目２２に記載のアクセスノード。
（項目２７）
上記プロセッサは、信号伝達プロトコルを使用して、アップリンク（ＵＬ）のための少なくとも１つのＣＣのＣＣ構成をさらに受信し、該ＣＣは、上記半静的構成を使用して割り当てられる、項目２２に記載のアクセスノード。
（項目２８）
上記プロセッサは、上記信号伝達プロトコルを使用して、上記ＵＬと関連付けられた物理アップリンク制御チャネル（ＰＵＣＣＨ）のための少なくとも１つのＣＣのＣＣ構成をさらに受信し、該ＣＣは、上記半静的構成を使用して割り当てられる、項目２２に記載のアクセスノード。